(57)【要約】本発明は乗客用プラットフォーム（５）を支持する下部シャーシ（３）を有するエレベータかごに関し、前記シャーシ（３）が少なくとも１つの強固な底部衝撃吸収脚部（１３）を具備し、該脚部がその使用位置に取り付けられる前に、シャーシ下方に折り畳まれるように取り付けられることを特徴とする。
2008521724.tif 000002
【特許請求の範囲】
【請求項１】
乗客用プラットフォーム（５）を支持する下部シャーシ（３）を有し、該シャーシ（３）は少なくとも１つの強固な底部衝撃吸収脚部（１３）を具備し、該脚部はその使用位置に取り付けられる前に、前記シャーシの下方に折り畳まれるように取り付けられることを特徴とするエレベータかご。
【請求項２】
周辺の前記シャーシフレーム（３）に、かつかご（１）の対向する両側に取り付けられた２つの折り畳み式の前記衝撃吸収脚部（１３）を具備することを特徴とする請求項１記載のエレベータかご。
【請求項３】
前記２つの衝撃吸収脚部（１３）は、前記シャーシフレーム（３）の前後側（９）に蝶番止めされ、使用位置に取り付けられる前に、前記シャーシフレーム（３）の下方で内側に折り畳まれて、前記乗客用プラットフォーム（５）に近接する折り畳み位置に収容されることが可能であり、かつ前記シャーシフレーム（３）の下方に垂直下向きの使用位置に直立して強固に取り付けられることが可能であることを特徴とする請求項２記載のエレベータかご。
【請求項４】
前記２つの脚部（１３）は、かごプラットフォームの中央平面に平行かつこれと近接する同一平面内に配列および蝶番止めされ、使用のために取り付けられる前は、前記脚部（１３）が前記シャーシフレーム（３）の下方で互いに重なり合う折り畳み位置に配置され、かつ締結リング（２３）などで互いに取り付けられて、プラットフォームシャーシとともに梱包され、かくして該プラットフォームシャーシに容積を付加しないことを特徴とする請求項２または３記載のエレベータかご。
【請求項５】
前記２つの脚部（１３）は各々、前記プラットフォームシャーシの前記前後側（９）で底部垂直スカート（７）に蝶番止めされ、単に該底部垂直スカートの上部の点に蝶番止めされ、その下部の点に固定されるのみであることを特徴とする請求項２から４までのいずれかに記載のエレベータかご。
【請求項６】
矩形または正方形の断面を有する前記脚部（１３）は各々、蝶番止め用隙間を補完する保持スカート（１５）に収容され、該保持スカート（１５）が前記かごシャーシの前記底部垂直スカート（７）に取り付けられ、かつ前記シャーシ内側に向かって開放されていることを特徴とする請求項２から５までのいずれかに記載のエレベータかご。
【請求項７】
前記脚部（１３）の各々は、例えば、蝶番軸を形成する貫通ボルト（１７）によって前記保持スカート（１５）に上部の高さで蝶番止めされ、かくして前記シャーシとともに梱包されるように内側に折り畳まれ、かつ回転された後は垂直の使用位置に取り付けられて、少なくとも１つの第二の貫通ボルト（１９）によって前記底部垂直スカート（７）に下部の高さで固定されることを特徴とする請求項６記載のエレベータかご。
【請求項８】
前記保持スカート（１５）は、内側に向かって開放されたＵ字形の断面を有する形状であることを特徴とする請求項６または７記載のエレベータかご。
【請求項９】
前記脚部（１３）の各々は、その下端部に衝撃吸収バッファ（２１）を支持することを特徴とする請求項１から８のいずれかに記載のエレベータかご。
【請求項１０】
前記バッファ（２１）は、前記エレベータかご（１）がシャフト底部に衝突する場合に同時に該シャフト底部に当たるように設計され、かくして前記かご（１）に対する衝撃が両方の前記脚部（１３）にバランス良く吸収されることを特徴とする請求項２から９までのいずれか１項に記載のエレベータかご。
【請求項１１】
前記衝撃吸収脚部（１３）の１つまたは両方は、前記プラットフォームシャーシとともに梱包されるように短い長さに縮小される垂直の伸縮式脚部であることを特徴とする請求項１から１０のいずれか１項に記載のエレベータかご。
【請求項１２】
前記シャフト底部が前記かごの中央部の直立した衝撃吸収要素を含まないことを特徴とする請求項１から１１のいずれかに記載のかご（１）を有するエレベータ。
【請求項１３】
前記シャフト底部（２９）は、客室ガイド（３１）に固定された強固なプレート（２７）を含み、該プレートが、前記脚部（１３）の前記衝撃吸収バッファ（２１）が偶発的に前記プレート（２７）に衝突するときの衝撃受け止め要素を形成することを特徴とする請求項１２記載のエレベータ。
【請求項１４】
前記脚部（１３）の垂直投影領域が、前記シャフト底部に標識または信号で示され、かくして保守作業員による接近の安全が確保されることを特徴とする請求項１２または１３記載のエレベータ。
【発明の詳細な説明】
【技術分野】
【０００１】
本発明は、折り畳み式衝撃吸収脚部を有するエレベータかご、および対応するエレベータに関する。
【背景技術】
【０００２】
エレベータシャフトの底部に、エレベータかごに起こり得る衝撃を吸収するための装置を具備することは公知である。この装置は一般に、シャフト底面の中央に固定された強固な脚部と、これと対向してエレベータかごの下方に位置する衝撃吸収バッファとを含む。
【発明の開示】
【発明が解決しようとする課題】
【０００３】
しかし、このような構成は強固な脚部を据え付けるためにシャフト底部を穿孔する必要があり、これによって地下水がシャフト底部に漏れ出して、多くの時間および資材が必要となる恐れがある。
【課題を解決するための手段】
【０００４】
本発明は、このような欠点を修正しようとするものであって、乗客用プラットフォームを支持する下部シャーシを有するエレベータかごを提供し、前記シャーシが少なくとも１つの強固な底部衝撃吸収脚部を有し、該脚部がその使用位置に取り付けられる前に、前記シャーシ下方に折り畳まれるように取り付けられることを特徴とする。
【０００５】
このような構成によって、衝撃吸収脚部をエレベータシャフトの底部に取り付けることが避けられる。これに加えて、脚部がシャーシ下方に折り畳み可能であるから、脚部を工場でシャーシに組み付けてこれとともに梱包し、容易かつ迅速にその使用位置に取り付けることができる。
【０００６】
エレベータかごが、周辺のシャーシフレームに、かつかごの対向する両側に取り付けられた２つの折り畳み式衝撃吸収脚部を具備することが有利である。
【０００７】
このような構成によって、シャーシが強固な中央部を有して底部中央部の衝撃吸収バッファを支持する従来のプラットフォーム設計のように、かごプラットフォームを支持するシャーシの中央部領域の剛性を高める必要性が避けられる。
【０００８】
２つの衝撃吸収脚部がシャーシフレームの前後側に蝶番止めされることが有利であり、これによって使用位置に取り付けられる前に、シャーシの下方で内側に折り畳まれて、かごプラットフォームに近接する折り畳み位置に収容されることが可能であり、かつシャーシフレームの下方に垂直下向きの使用位置に直立して強固に取り付けられることが可能である。
【０００９】
前記２つの脚部は、かごプラットフォームの中央の平面に平行かつ近接する同一平面内に蝶番止めされるように構成可能であり、脚部は使用位置に取り付けられる以前においてはシャーシの下方で互いに重なり合うように折り畳み位置に配置され、例えば、締結リングなどを用いて互いに取り付けられて、プラットフォームシャーシとともに梱包されるので、プラットフォームシャーシの容積を増大することがない。
【００１０】
前記２つの脚部は各々プラットフォームシャーシの前後側の底部垂直スカートに蝶番止め可能であり、単に底部垂直スカートの上部の点に蝶番止めされ、その下部の点に固定される。
【００１１】
矩形または正方形の断面を有するこれらの脚部は、各々保持スカート内に収容されることが有利であり、保持スカートは内側に向かって開放され、蝶番用隙間を補完しており、かつ前記かごシャーシ底部スカートに取り付けられる。この保持スカートはＵ字形の断面を有する強固な形状であってよい。付け加えれば、脚部の各々は保持スカートに上部の高さで、例えば、蝶番軸を形成する貫通ボルトによって蝶番止めされ、かくして脚部は内側に折り畳まれてシャーシとともに梱包され、かつ回転した後は垂直の使用位置に取り付けられて、スカートに下部の高さで、少なくとも１つの第二の貫通ボルトによって固定されうる。
【００１２】
もちろん、脚部の各々はその下端部に衝撃吸収バッファを有するが、前記バッファはまた脚部の垂直投影領域において、シャフト底部の地面に取り付けられてもよい。
【００１３】
本発明はまた、上述において画定されたようなかごを有するエレベータに関し、シャフト底部は従来型のようにかご用の直立した衝撃吸収要素を含まず、また必要に応じてかご室ガイドに固定された強固なプレートを具備し、該プレートが、前記脚部の衝撃吸収バッファが偶発的にプレートに衝突したときに、衝撃吸収バッファ用の衝撃受け止め要素を形成してもよい。
【００１４】
シャフト底部における脚部の垂直投影領域は、保全作業員の接近の安全を確保するために標識および信号で示されることが好ましい。
【発明を実施するための最良の形態】
【００１５】
図面を参照すれば、特に図１にエレベータかご１の下部部分のみが示されているが、本発明を理解するには十分である。エレベータかごは、乗客を載せるプラットフォーム５を支持する下部シャーシ３を有する。下部シャーシ３は、シャーシの前後側にある２つの高さのある対向する垂直側面９と、シャーシの幅側にある２つの低い対向する垂直側面１１とからなる、強固な金属製の周辺スカート７を有する。
【００１６】
２つの衝撃吸収脚部１３はシャーシ３の下方でプラットフォーム５に近接して、折り畳み位置に配置されている。これらの脚部１３は、後述するように、シャーシに垂直に取り付けられた時に、シャフト底部におけるエレベータかごの偶発的な衝撃を緩和するように設計されている。このように脚部が折り畳み位置にあることによって、下部シャーシ３と脚部１３とを１つの部品として梱包することができ、例えば、シュリンクフィルムを用いて形成される梱包において、衝撃吸収脚部１３が余分な容積を取らないので有利である。
【００１７】
脚部１３は全く同一であり、矩形である。脚部は各々かごの前後側の中央部付近に、かつシャーシ３上で同じ高さに位置している。脚部は、シャーシの幅側に平行でシャーシの中央部分に近接する同一平面に、互いにひと続きに蝶番止めされている。脚部は各々、内側に向かって開放されたＵ字形の平板１５に取り付けられており、該平板は垂直なかごシャーシスカートの側面９に取り付けられている。蝶番軸はボルト１７からなり、このボルトは平板１５の頂部および脚部１３の胴部を側面に平行に貫通して取り付けられている。平板１５の各々は、その底部にも２つの他のボルト１９のための２つの孔を具備し、このボルト１９もまた脚部１３の胴部および平板１５を貫通して挿入され、かくして脚部１３を垂直の使用位置に固定する（図４）。
【００１８】
脚部１３の各々は、その下端部中央に取り付けられた衝撃吸収バッファ２１を具備する。バッファは、例えば、高さが低く、直径が脚部の断面の辺と実質的に等しい直径の円柱形のゴムブロックからなる。
【００１９】
バッファ２１はエレベータかごがシャフト底部（図示せず）に衝撃を与える場合に同時にシャフト底部に当たるように設計され、これによってかごにかかる衝撃が両方の脚部にバランス良く吸収される。
【００２０】
つぎに脚部１３の取り付け方法を説明する。方法はまず、かごをシャフト底部上に人の高さに吊り紐で吊った状態で、梱包内で脚部を互いに折り畳み位置に結合している梱包リング２３を破ることからなる。
【００２１】
下方の脚部１３を図２に示される矢印の方向に手で回して、脚部が垂直に立ってＵ字形平板１５の背部に保持されるまで回転させる。２つのボルト１９を平板および脚部の下方の孔に通し、対応するナットを締め付けさえすれば、脚部は保持平板１５に完全かつ強固に固定される（図３）。
【００２２】
同様に第二の脚部１３を矢印の方向に、保持平板１５の背部に当たるまで回転させ、次いで底部ボルト１９で平板１５に取り付けることによって、第二の脚部が組み立てられる。
【００２３】
このようにして図４に相当する使用位置への取り付けが完了する。
【００２４】
もちろん、添付の請求の範囲の範囲内で、本発明の他の実施例が得られる。例えば、蝶番止めされた脚部の代わりに垂直の伸縮式脚部が具備されてもよく、この脚部が短縮された状態でプラットフォームシャーシとともに梱包されてもよい。
【００２５】
図５は本発明の別のエレベータの実施例におけるエレベータシャフト２５の底部２９の部分正面図である。この場合、衝撃吸収脚部１３は前述のようにシャフト底部２９と接触するのではなく、かごガイドレール３１に水平に取り付けられたプレート２７と接触する。このプレートはかご１の許容オーバーラン限界を設定するために高さを調整可能である。このプレート２７は、スプライスプレートでかごガイドレール３１に、衝撃吸収脚部１３と同じ高さに取り付けられた単一のビーム（図示せず）で代替されてもよい。この構成によって、シャフト底部２９とは独立に脚部１３の受け入れ高さを調整することが可能になる。
【図面の簡単な説明】
【００２６】
【図１】図１は衝撃吸収脚部を取り付けた底部かごプラットフォームの図であり、衝撃吸収脚部はシャーシの下方に折り畳まれている。
【図２】図２は図１と同様な図であるが、使用位置に取り付けるために衝撃吸収脚部の１つを展開しているところを示している。
【図３】図３は第二の衝撃吸収脚部の展開を示している。
【図４】図４はエレベータかごにおいて衝撃吸収脚部が使用位置に取り付けられた状態を示している。
【図５】図５は本発明の別の実施例におけるエレベータのシャフト底部の部分正面図である。
【図１】
2008521724.tif 000003
【図２】
2008521724.tif 000004
【図３】
2008521724.tif 000005
【図４】
2008521724.tif 000006
【図５】
2008521724.tif 000007
【手続補正書】
【提出日】平成18年6月21日(2006.6.21)
【手続補正１】
【補正対象書類名】明細書
【補正対象項目名】０００２
【補正方法】変更
【補正の内容】
【０００２】
エレベータシャフトの底部に、エレベータかごに起こり得る衝撃を吸収するための装置を具備することは公知である。この装置は一般に、シャフト底面の中央に固定された強固な脚部と、これと対向してエレベータかごの下方に位置する衝撃吸収バッファとを含む。
さらに、米国特許第６４８１５３４号明細書（Ｂ１）（ＭＡＬＯＮＥ，ＪＲ−ＴＯＭＡＳ  Ｆ．）は、シャーシを備えたエレベータかごを開示しており、前記シャーシは強固な上部衝撃吸収脚部を備え、使用位置に取り付けられる前に、クロス梁に沿って置かれて折り畳まれ、エレベータかごの天井の作業者を保護している。この構成は、かごシャーシの追加的な高さを備えたクロス梁の最上部に沿って高さを増加させている。
【手続補正２】
【補正対象書類名】明細書
【補正対象項目名】０００４
【補正方法】変更
【補正の内容】
【０００４】
本発明は、このような欠点を修正しようとするものであって、請求項１に記載のエレベータかごを提供する。
【手続補正３】
【補正対象書類名】明細書
【補正対象項目名】０００５
【補正方法】変更
【補正の内容】
【０００５】
このような構成によって、衝撃吸収脚部をエレベータシャフトの底部に取り付けることが避けられる。これに加えて、脚部がシャーシ下方に折り畳み可能であるから、脚部を工場でシャーシに組み付けて、これとともにかごプラットフォームシャーシ付近に梱包し、容積がかさむことなく容易かつ迅速にその使用位置に取り付けることができる。
【国際調査報告】
2008521724.tif 000008
2008521724.tif 000009